(57)【特許請求の範囲】
【請求項１】
・平面の表面とほぼ平行に固定できるベース（１２）と、
・前記ベースにほぼ垂直な軸（４）の回りに回転するように配置されるスプール（１３）と、
・前記スプールに巻き付けられる光ケーブル（５）と、
・接続具（１６）であって、その内側（１７）は、光エンクロージャ（１１）の内部において、ケーブルの内部端部と呼称される前記ケーブルの第１端部（７）に接続され、その接続具の外側（１８）は、外部の光接続プラグに接続するように想定される、接続具（１６）と、
・前記ベース（１２）および前記スプール（１３）の上部を覆蓋し得る取り外し可能な蓋（２２）と、
を含む光エンクロージャ（１１）であって、
前記ケーブルは、ケーブルの外部端部と呼称される前記ケーブルの第２端部（８）を引き出すことによって、前記光エンクロージャ（１１）からほどくように想定され、この引き出しによって前記スプール（１３）が前記軸（４）上において回転する、光エンクロージャ（１１）において、
前記接続具（１６）が、前記スプール（１３）に結合されると共に、前記スプール（１３）の上面の上側の少なくとも１つの位置と、前記蓋（２２）が前記ベース（１２）および前記スプール（１３）を覆蓋することを可能にする、前記スプール（１３）の前記上面と前記ベース（１２）との間の保管位置とを占めるように配置可能である、ことを特徴とする光エンクロージャ（１１）。
【請求項２】
前記スプール（１３）が、前記接続具（１６）を固定するための可動部分（１９）を含み、この可動部分（１９）は、前記接続具（１６）を、前記スプールの前記上面の上側の少なくとも１つの位置と、前記保管位置との間に傾けるように配置される、ことを特徴とする請求項１に記載の光エンクロージャ（１１）。
【請求項３】
前記可動部分が、前記スプール（１３）にヒンジ（２０）によって接続されるフラップ（１９）である、ことを特徴とする請求項２に記載の光エンクロージャ（１１）。
【請求項４】
前記可動部分が、一端が前記スプール（１３）に固定された可撓帯材である、ことを特徴とする請求項２に記載の光エンクロージャ（１１）。
【請求項５】
前記光エンクロージャ（１１）が、前記接続具が前記スプールの前記上面の上側の位置にある時に前記接続具（１６）を動かないようにし得る遮断手段（２８）をさらに含む、ことを特徴とする請求項２〜４のいずれか一項に記載の光エンクロージャ（１１）。
【請求項６】
前記光エンクロージャ（１１）が、前記接続具が前記保管位置にある時に前記接続具（１６）を動かないようにし得る遮断手段（２１、２３）をさらに含む、ことを特徴とする請求項１〜５のいずれか一項に記載の光エンクロージャ（１１）。
【請求項７】
前記遮断手段が、前記接続具を前記保管位置に閉じ込めることができる前記ベース内の少なくとも１つの当接片（２１）を含む、ことを特徴とする請求項６に記載の光エンクロージャ（１１）。
【請求項８】
前記光エンクロージャ（１１）が、前記ベース（１２）および前記スプール（１３）を覆蓋し得る取り外し可能な蓋（２２）をさらに含むこと、および、前記遮断手段が、前記蓋（２２）が前記ベース（１２）を覆う時に前記接続具（１６）を前記保管位置に閉じ込める前記蓋（２２）内の少なくとも１つの当接片（２３）を含むこと、を特徴とする請求項６に記載の光エンクロージャ（１１）。
【請求項９】
前記ケーブル（５）の断面が円形、楕円形または長方形である、請求項１〜８のいずれか一項に記載の光エンクロージャ（１１）。
【請求項１０】
・平面の表面とほぼ平行に固定できるベース（１２）と、
・前記ベース（１２）にほぼ垂直な軸（４）の回りに回転するように配置されるスプール（１３）と、
・前記スプール（１３）に巻き付けられる光ケーブル（５）と、
・接続具（１６）であって、その内側（１７）は、光エンクロージャ（１１）の内部において、ケーブルの内部端部と呼称される前記ケーブルの第１端部（７）に接続され、その接続具の外側（１８）は、外部の光接続プラグに接続するように想定される、接続具（１６）と、
を含む光エンクロージャ（１１）の敷設方法であって、
前記ケーブル（５）は、ケーブルの外部端部と呼称される前記ケーブルの第２端部（８）を引き出すことによって、前記光エンクロージャ（１１）からほどくように想定され、この引き出しによって前記スプール（１３）が前記軸（４）上において回転する、光エンクロージャ（１１）の敷設方法において、
・前記ベース（１２）を前記平面の表面に固定するステップと、
・前記接続具（１６）を、前記スプール（１３）の上面の上側の位置に配置するステップと、
・前記ケーブル（５）の前記外部端部（８）により前記ケーブル（５）を前記光エンクロージャ（１１）から引き出すことによって、ある長さのケーブル（５）をほどくステップと、
・前記接続具（１６）を、前記スプール（１３）の前記上面と前記ベース（１２）との間の保管位置に配置するステップと、
・蓋（２２）を前記ベース（１２）上に固定するステップと、
を含む、ことを特徴とする敷設方法。
【発明の詳細な説明】
【技術分野】
【０００１】
本発明は、電子通信サービスに対する加入者の家屋内における光ファイバの接続分野に関し、さらに具体的には、加入者の光ネットワーク端末を接続するように想定される光エンクロージャ装置に関する。
【背景技術】
【０００２】
ＦＴＴＨ（Ｆｉｂｅｒ  Ｔｏ  Ｔｈｅ  Ｈｏｍｅ）の配備に関しては、光ケーブルが、第１に、サービスを受ける集合住宅内への光ファイバの入口部と、第２に、ＯＮＴ（Ｏｐｔｉｃａｌ  Ｎｅｔｗｏｒｋ  Ｔｅｒｍｉｎａｌ）またはＯＮＵ（Ｏｐｔｉｃａｌ  Ｎｅｔｗｏｒｋ  Ｕｎｉｔ）の名称によっても知られる加入者自体の光端末との間の接続を提供する。集合住宅内への入口部においては、エンクロージャは、室内光端末ボックス（ｉｎｔｅｒｉｏｒ  ｏｐｔｉｃａｌ  ｔｅｒｍｉｎａｔｉｏｎ  ｂｏｘ）を意味するＩＯＴＢと呼称され、ＯＮＴ接続部においては、光端末エンクロージャ（ｏｐｔｉｃａｌ  ｔｅｒｍｉｎａｌ  ｅｎｃｌｏｓｕｒｅ）を意味するＯＴＥと呼称される。ケーブルには、一般的に、その端部のそれぞれに、ＳＣ／ＡＰＣ（「Ｓｕｂｓｃｒｉｂｅｒ  Ｃｏｎｎｅｃｔｏｒ／Ａｎｇｌｅｄ  Ｐｈｙｓｉｃａｌ  Ｃｏｎｔａｃｔ  ｐｏｌｉｓｈ」）タイプのコネクタが設けられる。
【０００３】
本発明はＯＴＥエンクロージャに関し、そうでない旨を特に指示しない限り、「エンクロージャ（ｅｎｃｌｏｓｕｒｅ）」または「光エンクロージャ（ｏｐｔｉｃａｌ  ｅｎｃｌｏｓｕｒｅ）」という用語は、以下、このエンクロージャを意味する。
【０００４】
最後に、このようなエンクロージャは、ある長さの予め巻き込まれたケーブルを含み、いくつかの制限条件が課せられる。このエンクロージャは、大多数の集合住宅に適合する十分な長さの光ケーブルを含むべきであり、一方では、目立たない特性を残すと共に限定された空間要件を満たさなければならない。装置の運転の前、その間およびその後に、ケーブルの曲げ半径は、ケーブルに含まれる光ファイバの破損限界値より決して小さくなってはならない。さらに、光ファイバの専門家でない作業者が、エンクロージャを制限された時間内に敷設できなければならない。
【０００５】
集合住宅の入口部と、エンクロージャが敷設されるべき室内との間の距離をカバーするのに用いられるエンクロージャのモデルに従って、直径９００μｍおよび長さ２５〜４０ｍの光ケーブルがスプール内に巻き込まれた光エンクロージャが知られている。ケーブルの各端部には接続プラグが接続される。内部端部と呼称されるエンクロージャ内に残存する端部におけるプラグは、エンクロージャ内の接続具の内側に接続でき、外部端部と呼称されるもう一方の端部のプラグは、別の光エンクロージャ、例えばＩＯＴＢエンクロージャに接続できる。エンクロージャ内の接続具の外側は、その一部分が、ＯＮＴの接続プラグを受け入れるように想定されている。エンクロージャは、最初に、その最終位置、例えばＯＮＴに近いリビングルームの壁面に固定される。続いて、敷設者が、リールとして機能するエンクロージャから外部端部を引き出すことによって、入口部のＩＯＴＢエンクロージャに到達するのに必要なケーブル長さをほどく。ほどいたケーブルは、例えば、幅木に沿って、または壁および天井間の隅部に沿って、一般的にはリビングルームに向かう入口部から装着される。場合によっては、ケーブル敷設後の過剰にほどいたケーブル長さを、再度エンクロージャの中に巻き込む必要がある。一般的に、ケーブル敷設後、未使用の過剰ケーブル長さがエンクロージャのスプール内に巻き込まれて残存している。
【０００６】
エンクロージャからケーブルを引き出すことによって、スプールが回転する。この回転の間は、ケーブルの内部端部のプラグを接続具に接続できない。この接続を行うと、回転が遮断されるからである。従って、この内部端部は、内部端部がスプールと共に回転する時に、プラグ、ケーブルまたはエンクロージャの任意の他の部品を損傷する可能性があるいかなる摩擦、もつれまたは引っ掛かりをも回避するように、スプールに固定しなければならない。敷設者は、例えば、１片の接着テープを使用して、突き出るケーブルの端部が回転を妨害しないスプールの位置において、ケーブルの内部端部のプラグをスプールに一時的に取り付ける。
【０００７】
所要長さのケーブルをほどいたら、敷設者は、内部端部のプラグを把持して、それをスプールから取り外し、それをエンクロージャの接続具の内側に接続しなければならないが、これは、第１に、ケーブルおよびプラグを損傷する付加的なリスクを伴い、かつ、第２に、敷設者にとって時間の掛かる微妙な操作になる。
【発明の概要】
【発明が解決しようとする課題】
【０００８】
本発明の１つの目的は、先行技術の上記の欠点を克服することにある。
【課題を解決するための手段】
【０００９】
本発明は、次のような光エンクロージャを用いて上記の状況を改善する。すなわち、この光エンクロージャは、
・平面の表面とほぼ平行に固定できるベースと、
・ベースにほぼ垂直な軸の回りに回転するように配置されるスプールと、
・スプールに巻き付けられる光ケーブルと、
・接続具であって、その内側は、エンクロージャの内部において、ケーブルの内部端部と呼称されるケーブルの第１端部に接続され、その接続具の外側は、外部の光接続プラグに接続するように想定される、接続具と、
を含み、さらに、
ケーブルは、ケーブルの外部端部と呼称されるケーブルの第２端部を引き出すことによって、エンクロージャからほどくように想定され、この引き出しによってスプールが軸上において回転し、接続具は、スプールに剛結合されると共に、スプールの半径方向の広がり面の外側の少なくとも１つの位置を占めるように配置される、
光エンクロージャである。
【００１０】
ケーブルがその外部端部によってエンクロージャから引き出される場合、スプール内に残っているケーブルの内部端部はスプールと共に回転する。本発明によれば、接続具はスプールに剛結合されるので、接続具およびスプールは、ケーブルが引き出される際、正確に同じ回転動作に従う。さらに、接続具は、スプールの半径方向の広がり面の外側の位置を占めるので、接続具は、ほどいたケーブルに対する障害にはならない。スプールの半径方向の広がり面の外側のこの位置は、例えばスプールの自由面上である。従って、本発明によって、ケーブルの内部端部をエンクロージャの接続具に予め接続することが可能になり、これによって敷設者にとっての微妙な操作が回避される。ケーブルの内部端部は、スプールの自由面上に配置されるスロットであって、スプールの自由面の周囲において開いているスロットを経由してスプールから出てくることができる。接続具に接続するために、端部には、例えば、ＳＣ／ＡＰＣタイプのプラグが設けられる。
【００１１】
従って、この光エンクロージャは、ケーブルの内部端部をエンクロージャの接続具に予め接続した状態で供給できる点が有利である。エンクロージャとその要素とを損傷するリスクが除去されるだけでなく、エンクロージャ敷設操作のための時間も節減される。
【００１２】
本発明の一態様によれば、スプールが、接続具を固定するための可動部分を含み、この可動部分は、接続具を、スプールの半径方向の広がり面の外側の少なくとも１つの位置と、半径方向の広がり面内の保管位置との間に傾けるように配置される。
【００１３】
このエンクロージャは壁面に対して固定するように想定されているので、その空間要件をできる限り抑制し、かつ、それをできるだけ目立たないものにするために、その全厚さを制限することが望ましい。スプールが回転する場合、ケーブルをほどくことを遮断しないようにするためには、スプールに剛結合されたどの要素も、その半径方向の広がり面内に配置されるべきではない。従って、接続具は、スプールが回転する間、スプールの半径方向の広がり面から離して配置しなければならない。それにも拘らず、接続具をその上に固定するための可動部分によって、例えば、スプールが回転しない場合には、接続具を、スプールの半径方向の広がり面内の保管位置に置くことが可能になる。
【００１４】
接続具がこの保管位置にある場合は、接続具およびスプールを、エンクロージャのベース内に相互に並べて配置できる点が有利である。従って、エンクロージャの合計厚さは、スプールの軸方向高さまたは接続具の高さのいずれかによって定まることになり、この両者の合計厚さで定まる訳ではないので、エンクロージャの合計厚さは低減される。
【００１５】
これは、外部の光接続プラグをこの保管位置において接続具の外側に接続できれば、この保管位置は接続具を使用する最終位置でもあるので、なお一層有利である。
【００１６】
本発明の一態様によれば、可動部分が、スプールにヒンジによって接続されるフラップである。
【００１７】
ヒンジによってスプールに接続されるこのフラップにより、フラップを動かなくするためには、従ってスプールを動かないようにするためには、接続具を動かないようにすることで十分である。これは、フラップおよびヒンジの剛性によってフラップに対するスプールのいかなる動きも防止されるためである。すなわち、接続具をその保管位置において動かないようにした場合、スプールの回転が遮断されるので、ほどいていない余剰のケーブル長さがスプール内部に保持される点が有利である。
【００１８】
本発明の一態様によれば、フラップおよびヒンジに対する代替選択肢として、可動部分が、一端がスプールに固定される可撓な帯材である。
【００１９】
この可撓帯材によって、フラップおよびヒンジの場合と同じ利点が得られると共に、さらに、ヒンジの使用が避けられるという利点も得られ、エンクロージャを容易かつ安価に製造できる。帯材は、スプールの頂部に、それに平行に、例えば、第１端部における１個所以上の接着剤付けを介して固定され、接続具が固定されるその第２端部は、スプールの半径方向の端部から突き出る。帯材は、接続具を有するその第２端部をスプールの頂部の上に折り込むことができるように、固体であるが曲げ方向において可撓でありかつ弾性を有する材料から作製される。スプールが回転する間、接続具は、一時的な取り付け手段によってスプールに保持される。従って、スプールが回転する時、接続具が、スプールの半径方向の広がり面内に不都合な形で位置することはなく、このため、ケーブルをほどくことを接続具が妨害することはない。接続具がスプールの頂部に保持されなければ、接続具は、帯材の弾性によって保管位置に戻される。
【００２０】
本発明の一態様によれば、エンクロージャが、接続具がスプールの半径方向の広がり面の外側の位置にある時に接続具を動かないようにし得る遮断手段をさらに含む。
【００２１】
この態様によって、スプールが回転する時、接続具が、スプールの半径方向の広がり面内に不都合な形で位置することはなく、従って、ケーブルをほどくことを接続具が妨害することはない。
【００２２】
本発明の一態様によれば、エンクロージャが、接続具が保管位置にある時に接続具を動かないようにし得る遮断手段をさらに含む。
【００２３】
この態様によって、エンクロージャの外側から接続プラグを差し込むことによって印加される押し込み力、または接続プラグを引き抜くことによって印加される引き抜き力に抵抗するように、接続具が安定化される。さらに、接続具がスプールに剛結合されているので、スプールが動かなくされ、これによって、ほどいていない余剰長さのケーブルが、エンクロージャから不都合な形で導出されることが防止される。
【００２４】
本発明の一態様によれば、遮断手段が、接続具を保管位置に閉じ込めることができるベース内の少なくとも１つの当接片を含む。
【００２５】
この当接片は、簡単に製作でき、エンクロージャの構成要素を閉じ込める複雑な操作を敷設者に要求することもない。
【００２６】
本発明の一態様によれば、エンクロージャが、ベースおよびスプールを覆蓋し得る取り外し可能な蓋をさらに含み、遮断手段が、蓋がベースを覆う時に接続具を保管位置に閉じ込める蓋内の少なくとも１つの当接片を含む。
【００２７】
この当接片は、簡単に製作でき、エンクロージャの構成要素を閉じ込める複雑な操作を敷設者に要求することもない。この当接片は、全く単純に、接続具が当接し得る蓋の頂部に垂直な端部の一部分とすることができる。
【００２８】
さらに、蓋の頂部の内面は、接続具をベースに対して押し付け、スプールの回転面に垂直な平面内における接続具のいかなる動きをも防止する。従って、接続具およびスプールは、蓋がベースを覆う場合には完全に動かなくなる。
【００２９】
本発明の一態様によれば、ケーブルの断面が円形、楕円形または長方形である。
【００３０】
本発明によるエンクロージャは、円形断面のケーブルに適しているだけでなく、リボン形ケーブルのような平坦断面のケーブル、楕円形または長方形断面のケーブルにも適している。
【００３１】
以上に記述した光エンクロージャの種々の態様は、相互に独立に、あるいは、互いに組み合わせて実施できる。
【００３２】
本発明は、光エンクロージャの敷設方法にも関する。このエンクロージャは、
・平面の表面とほぼ平行に固定できるベースと、
・ベースにほぼ垂直な軸の回りに回転するように配置されるスプールと、
・スプールに巻き付けられる光ケーブルと、
・接続具であって、その内側は、エンクロージャの内部において、ケーブルの内部端部と呼称されるケーブルの第１端部に接続され、その接続具の外側は、外部の光接続プラグに接続するように想定される、接続具と、
を含み、さらに、
ケーブルは、ケーブルの外部端部と呼称されるケーブルの第２端部を引き出すことによって、エンクロージャからほどくように想定され、この引き出しによってスプールが軸上において回転し、
敷設方法は、次のステップ、すなわち、
・ベースを平面の表面に固定するステップと、
・接続具を、スプールの半径方向の広がり面の外側の位置に配置するステップと、
・ケーブルの外部端部をエンクロージャから引き出すことによって、ある長さのケーブルをほどくステップと、
・接続具を、スプールの半径方向の広がり面内の保管位置に配置するステップと、
・蓋をベース上に固定するステップと、
を含む。
【００３３】
本発明による光エンクロージャの敷設方法は、エンクロージャからあるケーブル長さをほどくステップの後、ケーブルの内部端部を接続具に接続するステップを必要としないという点で、過去の実施態様と異なっている。本発明によるエンクロージャによって、ケーブルの内部端部が接続具に予め接続されるので、この微妙な操作はもはや必要でない。外部端部を引き出すことによってスプールを回転させる前に、敷設者が接続具をスプールの半径方向の広がり面の外側に配置し、続いて、ケーブルをほどいた後、敷設者が接続具を最終的な保管位置に配置することで十分である。敷設者は、ケーブルの内部端部に接触する必要はなく、これによって、ケーブルおよびその接続部の損傷リスクが除去されると共に、時間が節減される。
【００３４】
本発明の他の利点および特徴は、本発明の具体的な実施形態に関する以下の説明を読解することによってより明確になるであろう。この実施形態は、以下の図面に、例示的にかつ非制限的な単純な例として提示されている。
【図面の簡単な説明】
【００３５】
【図１】先行技術による光エンクロージャの斜視図である。
【図２】本発明の一実施形態による例示的な光エンクロージャの斜視図であって、スプールが自由回転する位置における斜視図である。
【図３】図２の光エンクロージャの、スプールの回転が遮断された位置における斜視図である。
【図４】蓋で覆われた図２の光エンクロージャの斜視図である。
【発明を実施するための形態】
【００３６】
本明細書の以下の部分は、直径９００μｍの円形断面と、ＡＳ／ＡＰＣタイプのコネクタプラグとを有する光ケーブルを使用するＯＴＥエンクロージャに基づく本発明の例示的実施形態について記述するが、本発明は、例えば、ＩＯＴＢエンクロージャのような他のタイプの光エンクロージャ、ケーブルおよび接続部、あるいは、非円形断面のケーブルにも適用される。
【００３７】
図１は先行技術による光エンクロージャを示す。
【００３８】
この光エンクロージャ１は、主請求項の前段部分に対応するものであって、
・平面の表面とほぼ平行に固定できるベース２と、
・ベースにほぼ垂直な軸４の回りに回転するように配置されるスプール３と、
・スプール３に巻き付けられる光ケーブル５と、
・接続具６であって、その内側１７が、エンクロージャ１の内部において、ケーブルの内部端部と呼称されるケーブル５の第１端部７に接続され、その接続具６の外側１８は、図示されていない外部の光接続プラグに接続するように想定される、接続具６と、
を含み、
・この場合、ケーブル５は、ケーブルの外部端部と呼称されるケーブルの第２端部８を引き出すことによって、エンクロージャ１からほどくように想定され、この引き出しによってスプール３が軸４上において回転する。
【００３９】
このエンクロージャの大きな欠点の１つは、ケーブル５をほどく際に、ケーブル５の内部端部７を接続具６から切り離さなければならないという点である。ほどく場合はスプール３が回転するが、内部端部７がベース２に固定された接続具６に接続されたままであると、スプール３の回転が不可能になるからである。従って、遊離した内部端部７が障害物となって回転を妨害したり、ケーブル５またはエンクロージャ１の他の要素を損傷したりすることがないように、遊離した内部端部７を、スプール３の一部分に一時的に固定する必要がある。この一時的固定を実現する簡単な方法は接着テープ９によるものである。しかし、より複雑であるが、さらに確実な一時的固定手段も存在する。例えば、スプール３の一部分に設けられるハウジング（図示されていない）であって、内部端部７が接続具６に接続されていない時に、内部端部７を受け入れるように特別に設けられるハウジングである。
【００４０】
ケーブル５をほどくステップが完了すると、ケーブル５の内部端部７をスプール３から取り外して、接続具６に接続しなければならないが、これも大きな不利な点である。この操作に必要な時間を度外視するとしても、各取り扱い操作において、ケーブルおよびその接続部を損傷するリスクが生じるからである。
【００４１】
図２は、本発明による光エンクロージャの例示的な実施形態を、スプールが自由回転する位置において示す。
【００４２】
本発明のこの実施形態による光エンクロージャ１１は、先行技術による光エンクロージャの特徴に加えて、スプール１３の上面に配置される１つ以上のヒンジ２０によってスプール１３に結合されるフラップ１９を含むという特徴を有する。
【００４３】
接続具１６およびベース１２は、接続具がベースに固定されずフラップ１９に固定されるという点においても、先行技術と異なっている。このフラップはいくつかの位置を占めることができるが、その占め得る位置に、例えば、図２に示すようなスプール１３およびベース１２にほぼ垂直な位置が含まれる。この場合、接続具１６は、スプール１３の半径方向の広がり面の外側にある。フラップ１９は、例えばヒンジ２０の旋回軸におけるノッチ２８を用いて、この位置に保持できる。従って、フラップ１９および接続具１６がこの位置にある時には、ケーブル５の内部端部７が接続具１６に接続されていても、スプール１３の回転、すなわち、ケーブル５の外部端部８を引き出すことによりエンクロージャ１１からケーブル５をほどくことが妨害されることは全くない。
【００４４】
従って、本発明によるエンクロージャ１１のフラップ１９によって、ケーブルの内部端部７を接続具１６に予め接続することが可能になり、エンクロージャの敷設者がこの接続を実施する必要性はなくなる。
【００４５】
ヒンジ２０は、任意選択的に可撓ヒンジとすることができる。可撓ヒンジとすることによって、フラップ１９およびスプール１３の頂部を単一品として成形することが可能になり、これは、エンクロージャ１１の製造をより簡単かつより安価にするという利点を有する。
【００４６】
図３は、スプールの回転が遮断された位置における図２の光エンクロージャを示す。
【００４７】
スプール１３が自由に回転する場合は、接続具１６は、保管位置と呼称されるその最終の使用位置にあるのではないことが理解される。
【００４８】
フラップ１９は、また、接続具１６を保管位置に置く位置をも占めることができる。この位置においては、スプール１３の回転は遮断される。実際、フラップ１９がベース１２に向かって折り畳まれる時に、スプール１３は、接続具１６が、ベース１２に設けられる当接片２１であってスプール１３に隣接する当接片２１に正確に当接する位置になるような方位に向けられる（当接片２１は図２に示される。図３においては接続具１６によって隠されている）。この保管位置においては、接続具１６は、スプール１３の半径方向の広がり面内にある。接続具１６を当接片２１によって保管位置に配置することによって、少なくとも３つの有利な効果が得られる。
・スプール１３の回転が、当接片２１と接続具１６とフラップ１９とヒンジ２０とによって形成されるアセンブリによって遮断され、従ってほどいていないケーブル５はスプール１３内に残される。
・接続具１６は、押し込み力が、エンクロージャ１１の内側に向けて接続具１６に加えられる場合にも、例えば、外部接続プラグを接続具１６の外側１８から接続具１６に差し込む場合にも、所定位置から動かない。
・接続具１６が、スプール１３の１つの面上に載っているのではなく、スプール１３に隣接しているので、壁面に対するエンクロージャ１１の厚さが最小化され、これによって、エンクロージャ１１の空間要件が低減され、エンクロージャ１１をより目立たないものにすることができる。
【００４９】
図４は、蓋で覆われた図２の光エンクロージャを示す。
【００５０】
エンクロージャ１１が実質的に平坦な形状であることによって、簡単な形状の取り外し可能な蓋２２を装着できる。この蓋２２は、接続具１６が保管位置にある時に所定位置に装着された場合、ベース１２とスプール１３と接続具１６とフラップ１９とを覆蓋し、エンクロージャ１１の要素を衝撃から保護すると共に、それらを視界から隠す。蓋２２は、例えば長方形であるベース１２の輪郭に適合する輪郭のプレート２４と、そのプレート２４の周囲における端部２５であって、プレート２４にほぼ垂直に、ベース１２およびフラップ１９の間のエンクロージャ１１の厚さに合致する高さを有する端部２５とから作製される。端部２５には、少なくとも２つの開口２６および２７が設けられる。その第１開口２６は外部接続プラグ用であり、第２開口２７はエンクロージャからほどいたケーブル５の部分用である。
【００５１】
蓋２２の重要な特徴は、それが、スプール１３の回転面における接続具１６のいかなる動きも防止する１つ以上の当接片２３を含むことができるという点である。この当接片の１つは、ベースの当接片２１と対称に配置するか、あるいは、当接片２１と置き換えることが可能であり、別の当接片は、蓋２２が所定位置にある時に、接続具１６が接触する端部２５の一部分である。この配置によって上記と同じ有利な効果を得ることができる。すなわち、スプール１３が回転しないように遮断され、かつ、接続具１６が、エンクロージャ１１の内部に向かう押し込み力に抵抗する。
【００５２】
さらに、蓋２２は、所定位置にある時にはフラップ１９と接触しており、フラップ１９が保管位置から離れることを防止すると共に、本発明によるエンクロージャ１１の堅固さと安定性とが増大する結果がもたらされる。
【００５３】
蓋２２は、任意の閉止システムを用いてベース１２に固定できる。
【００５４】
代替的な一実施形態（図示されていない）においては、フラップ１９およびヒンジ２０を、固体であるが曲げることができる薄い帯材に置き換えることができ、この薄い帯材は、接続具が保管位置にある時にスプール１３および接続具１６の両者を少なくとも部分的に覆う。この薄い帯材は、スプール１３および接続具１６の両者に、例えば、局所接着剤または任意の他の小型簡易な固定手段によって固定される。この帯材の可撓性によって、接続具１６を、スプール１３から帯材を引き剥がすことなくその保管位置から取り外して、スプール１３の上面に戻すことができる。その場合、帯材の中央部分は可撓なヒンジとして機能することになる。この位置において、スプール１３は自由回転する。スプール１３は、接続具１６を保持して、それが、スプール１３の回転の間にその保管位置に再度不都合な形で戻ることを防止するために、フックまたは任意の他の既知の一時的な固定手段を含むことができる。接続具１６がスプール１３に対して保持されない時には、帯材の弾性によって、接続具１６が、ベース１２に対して押し戻されて保管位置に保持される。これは、蓋２２が所定位置にまだ装着されていない場合に特に有用である。
【００５５】
帯材は、フラップ１９よりさらに薄くできる可能性があり、従ってエンクロージャ１１の空間要件をさらに低減し得るという点でフラップ１９に勝る利点を有する。
【００５６】
フラップ１９は、一層固くかつ剛構造であるという点で帯材に勝る利点を有する。
【００５７】
本発明のこの実施形態による上記のようなエンクロージャは、スプール内に巻き込まれた直径９００μｍの長さ２８ｍまでのケーブルを収納でき、蓋が所定位置に装着された内部寸法８０ｍｍ×８０ｍｍ×２０ｍｍの平行六面体に仕上げることができる。このエンクロージャの外部寸法は、住居の室内付属品に用いられる大多数の壁面の電気的筐体に適応している。従って、このエンクロージャは既存の構造標準に適合しており、例えばエンクロージャカバーまたは敷設用具のような既存のアクセサリを用い得る点で有利である。
【００５８】
以上述べた本発明の例示的実施形態は、想定し得る実施形態のほんの数例である。それらは、本発明によって、ケーブルの内部端部を予め接続した状態で、かつ、一方ではエンクロージャの敷設方法を簡単化しながら、ケーブルを、エンクロージャからほどく間接続したままにしておくことを可能にする状態で、光エンクロージャを構成し得ることを示している。
【符号の説明】
【００５９】
４  軸
５  光ケーブル
１１  光エンクロージャ
１２  ベース
１３  スプール
１６  接続具
１７  内側
１８  外側
【図１】
0006348608.tif 000002
【図２】
0006348608.tif 000003
【図３】
0006348608.tif 000004
【図４】
0006348608.tif 000005